(57)【要約】【課題】  ヘルメットに、ライト、ゴーグル等の補助具が確実に装着されるようにすることである。【解決手段】  ヘルメットＡ1 を構成するヘルメット本体１と、該ヘルメット本体１に内装される取付バンド５とを連結するために、前記ヘルメット本体１に設けられた通し孔８と該通し孔８に対応して取付バンド５に設けられた通し孔９に、予めホックＨの下型２１を挿通させた取付ねじ７を挿通させ、該取付ねじ７において取付バンド５から突出された部分に第１押え部材１１を嵌め込み、ナット２２を締め込むことによってヘルメット本体１に固着された前記ホックＨの下型２１に、ライトＬの一対の紐体２６の各先端部に取付けられたホックＨの上型２３を嵌着させる。【選択図】        図１
0003113718.tif 000002
【実用新案登録請求の範囲】
【請求項１】
ヘルメット本体に、補助具本体と該補助具本体から両側に延設された一対のバンド体とから構成される補助具が着脱可能にして装着されるヘルメットであって、
前記ヘルメット本体には、前記一対のバンド体に設けられた係止部を係止させるための被係止部が設けられていることを特徴とする補助具を装着可能なヘルメット。
【請求項２】
前記被係止部は、ヘルメット本体に対して内装部材を支持するための支持部材が挿通される通し孔の部分に設けられていることを特徴とする請求項１に記載の補助具を装着可能なヘルメット。
【請求項３】
前記係止部はホックの上型であり、前記被係止部は前記上型に嵌着されるホックの下型であることを特徴とする請求項１又は２に記載の補助具を装着可能なヘルメット。
【請求項４】
消防用であることを特徴とする請求項１ないし３のいずれかに記載の補助具を装着可能なヘルメット。
【考案の詳細な説明】
【技術分野】
【０００１】
本考案は、ヘルメット本体に、補助具本体と該補助具本体から両側に延設された一対のバンド体とから構成される補助具が着脱可能にして装着されるヘルメットに関するものである。
【背景技術】
【０００２】
消防士は、頭部を保護するためにヘルメットを着用する。消防士は、夜間や地下室など周囲が暗い状態で消化作業を行うこともあるため、ヘルメットにライトを装着することが多い。現状では、図８に示されるように、従来のヘルメットＡ’を構成するヘルメット本体５１（帽体）の下部に、公知のライトＬをゴムバンド５２で巻き付けて装着している。即ち、ライトＬが、ヘルメット本体５１の全周に亘って巻き付けられたゴムバンド５２の弾性力によって装着される形態である。この場合、以下に示す欠点がある。（１）ヘルメット本体５１の外周面形状は緩やかにわん曲しているため、ゴムバンド５２がずれてしまう。この結果、ライトＬがずれたり、外れたりしやすい。（２）ゴムバンド５２が常に伸びた状態であるため、該ゴムバンド５２が劣化しやすい。しかも、火災による熱を受けて切れやすい。（３）ゴムバンド５２をヘルメット本体５１の全周に亘って巻き付けることにより、ヘルメット本体５１の下端部に貼付けられた階級章５３が隠れてしまう。
【０００３】
ここで、ライトを装着可能なヘルメットについて、各種の出願がなされている（特許文献１，２参照）。例えば、実開平７−３３９４４号公報に開示された技術は、ゴムバンドを使用して複数個のライトを装着可能にしたものである。また、特開２０００−３５５８１７号公報に開示された技術は、ヘルメット本体に、取付具を介してペンライトを取付けるものである。しかし、前者の技術は上記した欠点を解消するものではなく、後者の技術では、ペンライトが大きく突出するため、作業中にずれたり、外れたりしやすい。
【０００４】
ここで、従来の消防用ヘルメットＡ’のヘルメット本体５１には、該ヘルメット本体５１に取付バンド５を取付けるための通し孔８が設けられ、両者は前記通し孔８に挿通されたリベット６によって一体に取付けられている［図４の（イ）参照］。消防用のヘルメットには安全上の規格が定められていて、ヘルメット本体に加工を施すことは強度を低下させるおそれがあるため、一切できない。この結果、ヘルメット本体に新たな加工を施すことなく、ライトが装着できるようにしなければならない。
【特許文献１】実開平７−３３９４４号公報
【特許文献２】特開２０００−３５５８１７号公報
【考案の開示】
【考案が解決しようとする課題】
【０００５】
本考案は、上記した不具合に鑑み、ヘルメット本体に、ライト、ゴーグル等の補助具が確実に装着されるようにすることを課題としている。
【課題を解決するための手段】
【０００６】
上記課題を解決するための請求項１の考案は、ヘルメット本体に、補助具本体と該補助具本体から両側に延設された一対のバンド体とから構成される補助具が着脱可能にして装着されるヘルメットであって、前記ヘルメット本体には、前記一対のバンド体に設けられた係止部を係止させるための被係止部が設けられていることを特徴としている。
【０００７】
ライト、ゴーグル等の補助具は、補助具本体から両側に延設された一対のバンド体に設けられた係止部が、ヘルメット本体に設けられた被係止部に係止されることによって装着される。両者の係止状態を解除することにより、ヘルメット本体に対して補助具が着脱される。前記補助具は、従来のように、ヘルメット本体に全周に亘って巻き付けられたゴムバンドの弾性力によって装着される形態ではないため、補助具がヘルメット本体に対して確実に装着される。この結果、補助具がずれたり、外れたりしにくくなる。また、一対のバンド体を伸縮させなくても済むため、ゴムバンドに比較して極めて切れにくくなる。更に、一対のバンド体をヘルメット本体の全周に亘って巻き付けなくても済むため、階級章を隠してしまうことが回避される。
【０００８】
請求項２の考案は、請求項１の考案を前提として、前記被係止部は、ヘルメット本体に対して内装部材を支持するための支持部材が挿通される通し孔の部分に設けられていることを特徴としている。請求項２の考案では、被係止部が、既にヘルメット本体に形成されている通し孔の部分に設けられているため、ヘルメット本体に新たな加工を施す必要がなく、ヘルメット本体の強度を低下させることがない。この結果、従来のヘルメットに対しても実施することができる。また、補助具を装着しない場合であっても、ヘルメット本体の被係止部が目立つことがないため、ヘルメットの美観を損ねない。
【０００９】
請求項３の考案は、請求項１又は２の考案を前提として、前記係止部はホックの上型であり、前記被係止部は前記上型に嵌着されるホックの下型であることを特徴としている。請求項３の考案により、補助具の着脱を、極めて容易に行うことができる。
【００１０】
請求項４の考案は、請求項１ないし３のいずれかの考案を前提として、消防用であることを特徴としている。ヘルメット本体の強度を低下させることがないため、消防用のヘルメットであっても実施することができる。
【考案の効果】
【００１１】
本考案は、ヘルメット本体に、補助具本体と該補助具本体から両側に延設された一対のバンド体とから構成される補助具が着脱可能にして装着されるヘルメットであって、前記ヘルメット本体には、前記一対のバンド体に設けられた係止部を係止させるための被係止部が設けられていることを特徴としている。従来のように、ゴムバンドの弾性力によって補助具を装着する形態ではないため、極めて切れにくくなる。更に、一対のバンド体をヘルメット本体の全周に亘って巻き付けなくても済むため、階級章を隠してしまうことが回避される。
【考案を実施するための最良の形態】
【００１２】
以下、実施例を挙げて、本考案を更に詳細に説明する。図１はライトＬが装着されたヘルメットＡ1 の側面図、図２はライトＬを分離させたヘルメットＡ1 の平面図、図３はヘルメットＡ1 の底面図、図４の（イ）は、図１のＸ−Ｘ線拡大断面図であり、（ロ）は、同じくＹ−Ｙ線拡大断面図である。本明細書では、消防用のヘルメットについて説明する。
【実施例１】
【００１３】
最初に、消防用のヘルメットの全体構成について説明する。第１実施例のヘルメットＡ1 は、ヘルメット本体１の正面部にライトＬが装着された場合である。第１実施例のヘルメットＡ1 は、図１及び図２に示されるように、外形状が緩やかにわん曲したヘルメット本体１と、該ヘルメット本体１に内装された各種の内装部材（後述）とから成る。前記ヘルメット本体１は、例えばＦＲＰ（Fiber Reinforced Plastics)より成り、その下端周縁部は外側に略水平に張り出していて、鍔部２が形成されている。また、ヘルメット本体１の正面部には消防記章３が取付けられていると共に、下端部には、ほぼ全周に亘って階級章４が貼付けられている。
【００１４】
次に、内装部材について説明する。図３に示されるように、ヘルメット本体１の内側の下端部には、周方向に沿って取付バンド５が取付けられている。該取付バンド５は可撓性を有する樹脂板（例えば、ポリエチレン板）より成り、ヘルメット本体１の前部（正面部）を除く内周面に密着されていて、複数本（本実施例の場合、４本）のリベット６と複数本（本実施例の場合、２本）の取付ねじ７（後述）によって取付けられている。即ち、図４の（イ）,(ロ）に示されるように、ヘルメット本体１の所定位置には、既にリベット６又は取付ねじ７を通すための各通し孔８が設けられている。本実施例のヘルメットＡ1 の場合、ヘルメット本体１の両側面部のほぼ同一の高さ位置に横方向に所定の間隔をおいて２箇所ずつ、同じく背面部のほぼ同一の高さ位置に横方向に所定の間隔をおいて２箇所の計６箇所に通し孔８が設けられている。なお、本実施例のヘルメットＡ1 を構成するヘルメット本体１は、各通し孔８が設けられた状態で所定の強度が保持されるように設計されていて、各通し孔８によってその強度が低下することはない。そして、取付バンド５において、前記各通し孔８と対応する部分には、各通し孔９が設けられている。
【００１５】
前記取付バンド５は、ヘルメット本体１の各通し孔８と取付バンド５の各通し孔９とが合致された状態で、ヘルメット本体１の前部を除く内周面に密着配置される。そして、ヘルメット本体１の外側から、ヘルメット本体１の通し孔８及び該通し孔８と対応する取付バンド５の通し孔９にリベット６が挿通され、ヘルメット本体１の内側からリベット６の軸部に中空段付軸形状のナイロンワッシャー（第１押え部材１１）が嵌め込まれる。この状態で、第１押え部材１１から突出したリベット６の先端部がかしめられて、取付バンド５の通し孔９よりも大径のかしめ部６ａが形成されることにより、前記第１押え部材１１が抜け止め状態で固着される。この結果、取付バンド５が、ヘルメット本体１の内周面の両側面部及び背面部に密着して取付けられる。なお、図３に示されるように、ヘルメット本体１の内周面の前部と取付バンド５との間には隙間が設けられていて、該隙間に、透明な樹脂板より成るシールド板１２が収容されている。該シールド板１２は、図示しない手段により、取付バンド５に対して高さ方向にほぼ沿ってスライド可能である。
【００１６】
図３に示されるように、前記取付バンド５の前部の内側面には、周方向に所定間隔をおいて複数本（本実施例の場合、２本）の第２押え部材１３が固着されている。各第２押え部材１３は、前述した第１押え部材１１と同一形状である。そして、第１及び第２の各押え部材１１，１３に、ハンモック１４が取付けられている。即ち、ハンモック１４の頂部１４ａから放射状に分岐して延設された複数本（本実施例の場合、第１及び第２の各押え部材１１，１３の数に対応して８本）のハンモック支持部１５の各下端部１５ａが、対応する第１及び第２の各押え部材１１，１３の段付軸部１１a,１３a に嵌め込まれて係合されている（図４参照）。前記ハンモック１４により、ハンモック１４の頂部１４ａとヘルメット本体１の頂部の内側との間に介装された衝撃吸収部材１６が保持される。また、取付バンド５の内側には、該取付バンド５とほぼ相似形状にしてヘッドバンド１７が装着されている。前記取付バンド５の外側部には、防火垂れ（図示せず）を装着するための取付ピン１８が固着されている。なお、図１において、１９は耳紐である。また、図３においては、耳紐１９の図示を省略してある。
【００１７】
本実施例のヘルメットＡ1 の場合、取付バンド５を装着するためにヘルメット本体１の内周面に取付けられた各第１押え部材１１のうち、前側の一対の第１押え部材１１は、いずれもリベット６ではなく取付ねじ７によって固着されている。即ち、図４の（ロ）に示されるように、ホックＨの下型２１（後述）に挿通された取付ねじ７が、ヘルメット本体１の通し孔８、及び前記通し孔８に対応して設けられた取付バンド５の通し孔９に挿通されている。そして、前記取付ねじ７において、ヘルメット本体１の内周面から突出した部分に第２押え部材１３が挿通され、ナット２２が締め込まれる。これにより、ヘルメット本体１に新たな通し孔８を設けなくても、ヘルメット本体１にホックＨの下型２１を固着させることができる。
【００１８】
ホックＨについて説明する。本実施例のホックＨは、図４の（ロ）に示されるように、ヘルメット本体１に固着される下型２１と、ライトＬの一対の紐体２６（後述）に取付けられる上型２３とから成る。前記下型２１は、段付きの円筒形状であり、円板形状の座部２１ａに突設されている。前記上型２３は、ライトＬを構成する各紐体２６（後述）の内側（下型２１と相対向する側）に取付けられていて、ばねリング２３ａが内装されている。そして、各紐体２６の外側に取付けられたボタン２３ｂにより、前記上型２３が紐体２６に固着されている。即ち、ホックＨの上型２３とボタン２３ｂとにより、紐体２６が挟持されている。上型２３が下型２１に嵌着されたとき、上型２３に内装されたばねリング２３ａが下型２１の外周面を押圧して締め込むことにより、下型２１と上型２３とが抜け止め状態に保持される。
【００１９】
次に、ヘルメット本体１に装着される補助具の一例であるライトＬについて説明する。本実施例のライトＬは、図１及び図２に示されるように、発光体２４と、該発光体２４を支持する発光体支持部材２５と、該発光体支持部材２５の左右方向の両端部から延設された一対の紐体２６とから構成されている。前記発光体２４は、発光体支持部材２５との連結部２５ａにおいて回動可能に取付けられていて、その取付角度を調整することができる。また、一対の紐体２６の長さも、各紐体２６に挿通された長さ調整部材２７により調整可能である。各紐体２６の先端部でそれらの内側には、それぞれホックＨの上型２３が固着されていると共に、各上型２３と対応する外側部分にはボタン２３ｂが固着されている。一対の紐体２６に取付けられたホックＨの上型２３が、ヘルメット本体１の前側面部に対応して固着されたホックＨの下型２１に嵌着される。これにより、ライトＬがヘルメット本体１に装着される。各長さ調整部材２７により、一対の紐体２６の取付長が調整されることにより、ライトＬを、一定の張力を有した状態でヘルメット本体１に装着させることができる。この結果、ライトＬの装着状態が安定する。
【００２０】
第１実施例のヘルメットＡ1 の作用について説明する。図２に示されるように、ヘルメット本体１にライトＬが装着されるとき、ライトＬを構成する発光体２４がヘルメット本体１の前部（消防記章３の直前部）に配置され、一対の紐体２６がヘルメット本体１の下端周縁部に配置される。各紐体２６の先端部に固着されたホックＨの上型２３が、ヘルメット本体１に固着された対応するホックＨの下型２１に嵌着される。一対の紐体２６の長さは、長さ調整部材２７により、各上型２３が対応する下型２１に嵌着された状態で、発光体支持部材２５の背面部がヘルメット本体１の外周面にほぼ密着されるように（換言すれば、一対の紐体２６に一定の張力が付与されるように）、予め調整されている。
【００２１】
上記したように、本実施例のヘルメットＡ1 は、一対の紐体２６に取付けられたホックＨの各上型２３が、ヘルメット本体１に取付けられた下型２１に嵌着されることによって、ライトＬが着脱可能に装着される形態である。ライトＬを取り外すときは、前記上型２３を引き起こして、下型２１との嵌着を解除させるだけで済む。このため、ライトＬの着脱が極めて容易である。一対の紐体２６に一定の張力が付与されているため、ライトＬの装着状態が安定し、ずれたり、外れたりするおそれが少ない。また、一対の紐体２６が、ヘルメット本体１の全周に巻き付けられていないため、ライトＬの取付位置がずれた場合であっても階級章４が見えなくなることはない。更に、ライトＬが一対の紐体２６によって装着されるため、従来のゴムバンド５２と比較して劣化しにくくなり、長期間に亘って使用しても破断するおそれが極めて小さい。
【００２２】
本実施例のヘルメットＡ1 では、ホックＨの下型２１は、ヘルメット本体１に既に設けられている通し孔８を利用して固着されている。このため、ヘルメット本体１の強度を低下させることはなく、従来のヘルメットＡ’に対しても実施することができる。また、安全上の規格が極めて厳しい消防用のヘルメットに対しても同様に実施することができる。
【００２３】
上記した第１実施例のヘルメットＡ1 は、補助具としてライトＬが装着される場合である。しかし、ヘルメット本体１に装着される補助具は、ライトＬ以外のもの、例えばゴーグルＧであっても構わない。ゴーグルＧの場合であっても、ライトＬと全く同様にしてヘルメット本体１に装着される。
【実施例２】
【００２４】
次に、第２実施例のヘルメットＡ2 について説明する。第２実施例のヘルメットＡ2 は、図５に示されるように、ヘルメット本体１にライトＬとゴーグルＧを同時に装着させた場合である。この実施例のヘルメットＡ2 の場合、ヘルメット本体１における両側面部の前後の通し孔８に、それぞれホックＨが取付けられている。そして、ライトＬは、第１実施例のヘルメットＡ1 と同様に、ヘルメット本体１における側面部の前側の通し孔８に取付けられたホックＨによって装着され、ゴーグルＧは、ヘルメット本体１における側面部の後側の通し孔８に取付けられたホックＨによって装着される。不使用状態のゴーグルＧは、ライトＬの上方に配置させることができるため、作業に支障をきたすことはない。
【実施例３】
【００２５】
次に、第３実施例のヘルメットＡ3 について説明する。第３実施例のヘルメットＡ3 は、図６及び図７に示されるように、ヘルメット本体１の同一位置に、ライトＬとゴーグルＧを同時に装着させた場合である。この実施例のヘルメットＡ3 の場合、第１実施例のヘルメットＡ1 と同様に、ヘルメット本体１における両側面部の前側にのみホックＨの下型２１が取付けられていて、該ホックＨによってライトＬが装着される。ライトＬを構成する一対の紐体２６の先端部の内側にはホックＨの上型２３が取付けられていて、外側にはホックＨの下型２１が取付けられている。そして、ライトＬは、第１実施例のヘルメットＡ1 と同様に、ヘルメット本体１の側面部の前側の通し孔８に取付けられたホックＨの下型２１によって装着され、ゴーグルＧは、前記ライトＬの紐体２６の外側に取付けられたホックＨの下型２１によって装着される。第３実施例のヘルメットＡ3 の場合、ホックＨが前側の２箇所だけで済むと共に、ゴーグルＧのゴムバンド２８の長さも短くて済む。
【００２６】
本明細書では、ヘルメット本体１に設けられたホックＨの下型２１に、ライトＬの紐体２６に設けられたホックＨの上型２３を嵌着させることによって、両者を係止させる場合について説明した。しかし、両者を係止させるための部材はホックＨ以外のもの、例えば、多数の繊維状の突起体どうしが絡み付いて接合される構成のマジックテープ（登録商標）であっても構わない。この場合であっても、ヘルメット本体１に加工を施さなくても済むため、ヘルメット本体１の強度を低下させるおそれはない。
【００２７】
本明細書では、ヘルメット本体１に装着される補助具がライトＬ又はゴーグルＧの場合であり、それらがヘルメット本体１のほぼ正面部に装着される場合について説明した。しかし、ライトＬやゴーグルＧ以外の補助具（例えば、耳当て、受信機等）であって、ヘルメット本体１の側面部、或いは背面部に装着される場合であっても構わない。また、補助具を装着させずに、ヘルメット本体１を単体で使用しても構わない。その際、ヘルメット本体１の外周面に露出するホックＨの下型２１が目立つことはないので、ヘルメットの美観を損ねることもない。
【００２８】
本明細書では、消防用ヘルメットについて説明したが、組立工場用のヘルメットやバイク用のヘルメットであっても構わない。
【図面の簡単な説明】
【００２９】
【図１】ライトＬが装着されたヘルメットＡ1 の側面図である。
【図２】ライトＬを分離させたヘルメットＡ1 の平面図である。
【図３】ヘルメットＡ1 の底面図である。
【図４】（イ）は、図１のＸ−Ｘ線拡大断面図であり、（ロ）は、同じくＹ−Ｙ線拡大断面図である。
【図５】第２実施例のヘルメットＡ2 の側面図である。
【図６】第３実施例のヘルメットＡ3 の側面図である。
【図７】ライトＬとゴーグルＧとを分離させたヘルメットＡ3 の平面図である。
【図８】従来のヘルメットＡ’の側面図である。
【符号の説明】
【００３０】
Ａ1 〜Ａ3 ：ヘルメット
Ｇ：ゴーグル（補助具）
Ｈ：ホック
Ｌ：ライト（補助具）
１：ヘルメット本体
５：取付バンド（内装部材）
７：取付ねじ（支持部材）
８：通し孔
２１：下型（被係止部）
２３：上型（係止部）
２４：発光体（補助具本体）
２６：紐体（バンド体）
２８：ゴムバンド（バンド体）
【図１】
0003113718.tif 000003
【図２】
0003113718.tif 000004
【図３】
0003113718.tif 000005
【図４】
0003113718.tif 000006
【図５】
0003113718.tif 000007
【図６】
0003113718.tif 000008
【図７】
0003113718.tif 000009
【図８】
0003113718.tif 000010